(57)【要約】      （修正有）【課題】支持材の荷重及び材料費の増加を抑制しつつ、ポンプの振動を抑制する。【解決手段】回転軸ＭＳに連結された羽根車ＩＰと、回転軸の回りに配置され且つ外面にケーシング張出部Ｐ２、Ｐ４を有するケーシングＰＰと、ポンプ据付床ＦＬの下に吊下げられているコラムパイプＣＰと、を備え、コラムパイプには、ケーシングに対向する面にコラム張出部Ｓ２、Ｓ４が設けられており、ケーシングを略水平方向に回転させることにより、ケーシング張出部が略水平方向からコラム張出部に固定される。【選択図】図１
2019019774.tif 000002
【特許請求の範囲】
【請求項１】
回転軸に連結された羽根車と、
前記回転軸の回りに配置され且つ外面にケーシング張出部を有するケーシングと、
ポンプ据付床の下に吊下げられているコラムパイプと、
を備え、
前記コラムパイプには、前記ケーシングに対向する面にコラム張出部が設けられており、
前記ケーシングを略水平方向に回転させることにより、前記ケーシング張出部が前記略水平方向から前記コラム張出部に固定されている
ポンプ。
【請求項２】
前記ケーシング張出部が固定されるときの回転方向は、前記羽根車の回転方向と略同一である
請求項１に記載のポンプ。
【請求項３】
前記コラム張出部には、略水平に溝が形成されており、
前記ケーシング張出部は、前記略水平方向から前記溝に嵌って前記コラム張出部に固定される
請求項１または２に記載のポンプ。
【請求項４】
前記コラム張出部に形成された溝は、前記ケーシング張出部が固定されるときの回転方向に沿って形成されており、前記ケーシング張出部が固定されるときの回転方向に沿って狭くなっている
請求項３に記載のポンプ。
【請求項５】
前記ケーシング張出部は、前記回転軸の半径方向に沿って外側にいくほど細くなる形状を有し、
前記コラム張出部の溝は、前記回転軸の半径方向に深くなるほど細くなる形状を有する
請求項３または４に記載のポンプ。
【請求項６】
前記ケーシング張出部には、テーパーが設けられ、
前記コラム張出部には、テーパーが設けられ、
前記ケーシング張出部のテーパーと前記コラム張出部のテーパーとが当接することにより前記ケーシング張出部が前記コラム張出部に固定されている
請求項１から３のいずれか一項に記載のポンプ。
【請求項７】
前記回転軸と前記羽根車と前記ケーシングは一体として引き抜き可能である
請求項１から６のいずれか一項に記載のポンプ。
【請求項８】
当該ポンプは、プルアウト型立軸ポンプであり、
前記コラムパイプには、前記ケーシングに対向する面に第１のコラムライナーと、前記ケーシングに対向する面に前記第１のコラムライナーから下方向に間隔を設けて第２のコラムライナーとが設けられ、
前記ケーシングには、前記第１のコラムライナーと接する第１のケーシングライナーと、前記第２のコラムライナーと接する第２のケーシングライナーとが設けられ、
前記ケーシング張出部は、前記第１のケーシングライナーと前記第２のケーシングライナーの間に設けられており、
前記ケーシング張出部の先端は、前記回転軸を中心とする半径方向において、前記第１のコラムライナーの内縁よりも内側に位置する
請求項１から７のいずれか一項に記載のポンプ。
【請求項９】
当該ポンプは、着脱式水中ポンプである
請求項１から７のいずれか一項に記載のポンプ。
【請求項１０】
回転軸に連結された羽根車と、
前記回転軸の回りに配置され且つ外面にガイド張出部を有するガイドベーンと、
ポンプ据付床の下に吊下げられているコラムパイプと、
を備え、
前記コラムパイプには、前記ガイドベーンに対向する面にコラム張出部が設けられており、
前記ガイドベーンを略水平方向に回転させることにより、前記ガイド張出部が前記略水平方向から前記コラム張出部に固定されている
ポンプ。
【請求項１１】
ケーシングと前記ケーシングの外面に設けられたケーシング張出部とを有するポンプの設置方法であって、
前記ケーシングを略水平方向に回転させることにより、前記ケーシング張出部が前記略水平方向から、ポンプ据付床の下に吊下げられているコラムパイプの前記ケーシングに対向する面に設けられた前記コラム張出部に固定される
ポンプの設置方法。
【請求項１２】
ガイドベーンと前記ガイドベーンの外面に設けられたガイド張出部とを有するポンプの設置方法であって、
前記ガイドベーンを略水平方向に回転させることにより、前記ガイド張出部が前記略水平方向から、ポンプ据付床の下に吊下げられているコラムパイプの前記ガイドベーンに対向する面に設けられた前記コラム張出部に固定される
ポンプの設置方法。
【発明の詳細な説明】
【技術分野】
【０００１】
本発明は、ポンプ及びポンプの設置方法に関する。
【背景技術】
【０００２】
プルアウト型立軸ポンプは、羽根車、ケーシング（流路形成部）、主軸等で構成されるプルアウト部と、コラムパイプ等で構成される固定部とを有する。プルアウト部が固定部に固定されて使用され、メンテナンス時等にプルアウト部を引き抜くことが可能になっている。ポンプ室からポンプ井までの距離が長くなる、或いは、原動機出力が大きくなるにつれ、プルアウト部の寸法が長くなり揺れ易くなる。また、先行待機ポンプとして気水（水及び空気）混合運転などを行う場合には、プルアウト部の振動抑制が必要となる。
【０００３】
プルアウト型立軸ポンプは、通常、コラムパイプ上部で固定され、コラムパイプ内に吊り下げられた状態となっている。コラムパイプ内の揚水がポンプ井へ逆流しないよう、プルアウト部とコラムパイプとの隙間は最小隙間に管理され、ゴムリング等で止水されているが、防振支持はされていない。
【０００４】
また、水中ポンプが着脱式となっている着脱式水中ポンプの場合は、通常、ポンプを単に吊り降ろして自重で支持する構造となっている。据付時等の緩衝材としてゴムリング等も付属させるが、防振支持はされていない。また、プルアウト部とコラムパイプとの間に回転防止用支持材が設けられているが、同様に防振支持はされていない。以下、プルアウト型立軸ポンプと、着脱式水中ポンプを総称して、プルアウト型ポンプという。
【先行技術文献】
【特許文献】
【０００５】
【特許文献１】特開平１０−１６９５８９号公報
【発明の概要】
【発明が解決しようとする課題】
【０００６】
このように、プルアウト型ポンプは、防振支持されていないため、高揚程、大流量、コラム寸法が長い場合、防振装置無しで振動抑制しようとすると、プルアウト部（ケーシングなど）の剛性を上げる必要が有り、荷重増及び材料費増といった課題がある。
【０００７】
上記問題点を解決すべく、特許文献１では、プルアウト部の支持構造として、自重で固定するのに加え、コラムパイプの上蓋で上端を固定する構造が示されている。しかし、構造が複雑になる事という問題がある。また、コラム寸法が長くなるに伴い、プルアウト支持位置がコラムパイプの上部蓋から距離が離れ下方となり、支持材の剛性確保のため、支持材の荷重及び材料費が増加する。
【０００８】
本発明は、上記問題に鑑みてなされたものであり、荷重増及び材料費増を抑制しつつ、ポンプの振動を抑制することを可能とするポンプ及びポンプの設置方法を提供することを目的とする。
【課題を解決するための手段】
【０００９】
本発明の第１の態様に係るポンプは、回転軸に連結された羽根車と、前記回転軸の回りに配置され且つ外面にケーシング張出部を有するケーシングと、ポンプ据付床の下に吊下げられているコラムパイプと、を備え、前記コラムパイプには、前記ケーシングに対向する面にコラム張出部が設けられており、前記ケーシングを略水平方向に回転させることにより、前記ケーシング張出部が前記略水平方向から前記コラム張出部に固定されている。
【００１０】
この構成によれば、ケーシング張出部がコラム張出部に固定されることにより、ケーシングが固定されるので、ポンプの振動を抑制することができる。また、ケーシング張出部、コラム張出部を新たに設けるだけなので、荷重増及び材料費増を抑制することができる。このように、荷重増及び材料費増を抑制しつつ、ポンプの振動を抑制することができる。
【００１１】
本発明の第２の態様に係るポンプは、第２の態様に係るポンプであって、前記ケーシング張出部が固定されるときの回転方向は、前記羽根車の回転方向と略同一である。
【００１２】
この構成によれば、ポンプの運転中の水流が、羽根車の回転方向と同じになるので、ケーシングに羽根車の回転方向と同じ方向に力が働く。このため、ケーシング張出部をコラム張出部に押し付ける方向に力が働き、ケーシング張出部のコラム張出部への固定力が上昇する。
【００１３】
本発明の第３の態様に係るポンプは、第１または２の態様に係るポンプであって、前記コラム張出部には、略水平に溝が形成されており、前記ケーシング張出部は、前記略水平方向から前記溝に嵌って前記コラム張出部に固定される。
【００１４】
この構成によれば、ケーシング張出部がコラム張出部に形成された溝に嵌るので、ケーシング張出部のコラム張出部への固定力を向上させることができる。
【００１５】
本発明の第４の態様に係るポンプは、第３の態様に係るポンプであって、前記コラム張出部に形成された溝は、前記ケーシング張出部が固定されるときの回転方向に沿って形成されており、前記ケーシング張出部が固定されるときの回転方向に沿って狭くなっている。
【００１６】
この構成によれば、ケーシング張出部がコラム張出部に形成された溝の途中で嵌り込むので、ケーシング張出部のコラム張出部への固定力を向上させることができる。
【００１７】
本発明の第５の態様に係るポンプは、第３または４の態様に係るポンプであって、前記ケーシング張出部は、前記回転軸の半径方向に沿って外側にいくほど細くなる形状を有し、前記コラム張出部の溝は、前記回転軸の半径方向に深くなるほど細くなる形状を有する。
【００１８】
この構成によれば、ケーシング張出部の先端部分がコラム張出部の溝にしっかり嵌るので、ケーシングの揺れ及び共振を抑えることができる。
【００１９】
本発明の第６の態様に係るポンプは、第１から３のいずれかの態様に係るポンプであって、前記ケーシング張出部には、テーパーが設けられ、前記コラム張出部には、テーパーが設けられ、前記ケーシング張出部のテーパーと前記コラム張出部のテーパーとが当接することにより前記ケーシング張出部が前記コラム張出部に固定されている。
【００２０】
この構成によれば、ケーシング張出部がコラム張出部にしっかり固定されるので、ケーシングの揺れ及び共振を抑えることができる。
【００２１】
本発明の第７の態様に係るポンプは、第１から６のいずれかの態様に係るポンプであって、前記回転軸と前記羽根車と前記ケーシングは一体として引き抜き可能である。
【００２２】
この構成によれば、回転軸と羽根車とケーシングを、容易にメンテナンスすることができる。
【００２３】
本発明の第８の態様に係るポンプは、第１から７のいずれかの態様に係るポンプであって、当該ポンプは、プルアウト型立軸ポンプであり、前記コラムパイプには、前記ケーシングに対向する面に第１のコラムライナーと、前記ケーシングに対向する面に前記第１のコラムライナーから下方向に間隔を設けて第２のコラムライナーとが設けられ、前記ケーシングには、前記第１のコラムライナーと接する第１のケーシングライナーと、前記第２のコラムライナーと接する第２のケーシングライナーとが設けられ、前記ケーシング張出部は、前記第１のケーシングライナーと前記第２のケーシングライナーの間に設けられており、前記ケーシング張出部の先端は、前記回転軸を中心とする半径方向において、前記第１のコラムライナーの内縁よりも内側に位置する。
【００２４】
この構成によれば、プルアウト型立軸ポンプについて、ケーシングを引き抜くときに、ケーシング張出部が第１のコラムライナーに引っかからずに抜くことができる。
【００２５】
本発明の第９の態様に係るポンプは、第１から７のいずれかの態様に係るポンプであって、当該ポンプは、着脱式水中ポンプである。
【００２６】
この構成によれば、着脱式水中ポンプについて、荷重増及び材料費増を抑制しつつ、ポンプの振動を抑制することができる。
【００２７】
本発明の第１０の態様に係るポンプは、回転軸に連結された羽根車と、前記回転軸の回りに配置され且つ外面にガイド張出部を有するガイドベーンと、ポンプ据付床の下に吊下げられているコラムパイプと、を備え、前記コラムパイプには、前記ガイドベーンに対向する面にコラム張出部が設けられており、前記ガイドベーンを略水平方向に回転させることにより、前記ガイド張出部が前記略水平方向から前記コラム張出部に固定されている。
【００２８】
この構成によれば、ガイド張出部がコラム張出部に固定されることにより、ケーシングが固定されるので、ポンプの振動を抑制することができる。また、ガイド張出部、コラム張出部を新たに設けるだけなので、荷重増及び材料費増を抑制することができる。このように、荷重増及び材料費増を抑制しつつ、ポンプの振動を抑制することができる。
【００２９】
本発明の第１１の態様に係るポンプの設置方法は、ケーシングと前記ケーシングの外面に設けられたケーシング張出部とを有するポンプの設置方法であって、前記ケーシングを略水平方向に回転させることにより、前記ケーシング張出部が前記略水平方向から、ポンプ据付床の下に吊下げられているコラムパイプの前記ケーシングに対向する面に設けられた前記コラム張出部に固定される。
【００３０】
この構成によれば、ケーシング張出部がコラム張出部に固定されることにより、ケーシングが固定されるので、ポンプの振動を抑制することができる。また、ケーシング張出部、コラム張出部を新たに設けるだけなので、荷重増及び材料費増を抑制することができる。このように、荷重増及び材料費増を抑制しつつ、ポンプの振動を抑制することができる。
【００３１】
本発明の第１２の態様に係るポンプの設置方法は、ガイドベーンと前記ガイドベーンの外面に設けられたガイド張出部とを有するポンプの設置方法であって、前記ガイドベーンを略水平方向に回転させることにより、前記ガイド張出部が前記略水平方向から、ポンプ据付床の下に吊下げられているコラムパイプの前記ガイドベーンに対向する面に設けられた前記コラム張出部に固定される。
【００３２】
この構成によれば、ガイド張出部がコラム張出部に固定されることにより、ケーシングが固定されるので、ポンプの振動を抑制することができる。また、ガイド張出部、コラム張出部を新たに設けるだけなので、荷重増及び材料費増を抑制することができる。このように、荷重増及び材料費増を抑制しつつ、ポンプの振動を抑制することができる。
【発明の効果】
【００３３】
第１の態様に係るポンプによれば、ケーシング張出部がコラム張出部に固定されることにより、ケーシングが固定されるので、ポンプの振動を抑制することができる。また、ケーシング張出部、コラム張出部を新たに設けるだけなので、荷重増及び材料費増を抑制することができる。このように、荷重増及び材料費増を抑制しつつ、ポンプの振動を抑制することができる。
【００３４】
また、第１０の態様に係るポンプによれば、ガイド張出部がコラム張出部に固定されることにより、ケーシングが固定されるので、ポンプの振動を抑制することができる。また、ガイド張出部、コラム張出部を新たに設けるだけなので、荷重増及び材料費増を抑制することができる。このように、荷重増及び材料費増を抑制しつつ、ポンプの振動を抑制することができる。
【図面の簡単な説明】
【００３５】
【図１】第１の実施形態に係るポンプシステムＰＳ１の概略断面図である。
【図２】図２（Ａ）は、ケーシングＰＰを吊り降ろした場合の図１のＡ−Ａ断面図である。図２（Ｂ）は、ケーシングＰＰを回転させて固定した場合の図１のＡ−Ａ断面図である。
【図３】図１のＢ−Ｂ矢視図である。
【図４】図２のＣ−Ｃ断面図である。
【図５】図２のＤ−Ｄ断面図である。
【図６】第１の変形例に係る図２のＣ−Ｃ断面図である。
【図７】第２の変形例に係る図２のＣ−Ｃ断面図である。
【図８】第１の実施形態の変形例に係るポンプＰＭ１ｂの概略断面図である。
【図９】第２の実施形態に係るポンプシステムＰＳ２の概略断面図である。
【図１０】図１０（Ａ）は、ケーシングＰＰ２を吊り降ろした場合の図９のＥ−Ｅ断面図である。図１０（Ｂ）は、ケーシングＰＰを回転させて固定した場合の図９のＥ−Ｅ断面図である。
【発明を実施するための形態】
【００３６】
以下、各実施形態について、図面を参照しながら説明する。
＜第１の実施形態＞
図１は、第１の実施形態に係るポンプシステムＰＳ１の概略断面図である。図１に示すように、ポンプシステムＰＳ１は、ポンプＰＭ１と、ポンプ井（吸込水槽）ＴＫと、ポンプ井ＴＫの上面に設けられたポンプ据付床ＦＬとを備える。ポンプ井ＴＫには水が張られている。本実施形態に係るポンプＰＭ１は、プルアウト型立軸ポンプである。
【００３７】
図１に示すように、ポンプＰＭ１は、回転軸ＭＳと、回転軸ＭＳに連結された羽根車ＩＰと、回転軸ＭＳ及び羽根車ＩＰの回りに配置されたケーシングＰＰと、ポンプ据付床ＦＬの下に吊下げられるコラムパイプＣＰを備える。
【００３８】
回転軸ＭＳ、羽根車ＩＰ、ケーシングＰＰ等で構成されるプルアウト部は、コラムパイプ等で構成される固定部から引き抜くことが可能である。すなわち、回転軸ＭＳと羽根車とケーシングＰＰは一体として引き抜き可能である。これにより、回転軸ＭＳと羽根車ＩＰとケーシングＰＰを、容易にメンテナンスすることができる。
【００３９】
ケーシングＰＰは、羽根車ＩＰによってポンプ井ＴＫから汲み上げられた水が通る部位であり、ケーシングＰＰを通った水は吐出管ＤＰを通って吐き出される。ケーシングＰＰは、開口を有する吸込ベルマウスＢＬと、羽根車ＩＰを収容するポンプボウルＤＣとを有する。回転軸ＭＳは、ポンプボウルＤＣ内を通って鉛直方向に延びている。
【００４０】
コラムパイプＣＰは、据付用ベースＰＢを介してポンプ据付床ＦＬに固定されている。このようにして、コラムパイプＣＰは、ポンプ据付床ＦＬの下に吊下げられている。
コラムパイプＣＰには、ケーシングＰＰに対向する面に第１のコラムライナーＣＲ１と、ケーシングＰＰに対向する面に第１のコラムライナーＣＲ１から下方向に間隔を設けて第２のコラムライナーＣＲ２とが設けられている。第１のコラムライナーＣＲ１と第２のコラムライナーＣＲ２は、リング状の形状を有する。
【００４１】
ケーシングＰＰには、第１のコラムライナーＣＲ１と接する第１のケーシングライナーＰＲ１と、第２のコラムライナーＣＲ２と接する第２のケーシングライナーＰＲ２とが設けられている。第１のケーシングライナーＰＲ１と第２のケーシングライナーＰＲ２は、リング状の形状を有する。ケーシング張出部Ｐ２、Ｐ４は、第１のケーシングライナーＰＲ１と第２のケーシングライナーＰＲ２の間に設けられている。
【００４２】
吸込ベルマウスＢＬは下方を向いて開口し、吸込ベルマウスＢＬの上端はポンプボウルＤＣの下端に接続されている。羽根車ＩＰは回転軸ＭＳの下端に固定されており、羽根車ＩＰと回転軸ＭＳとは一体で回転する。この羽根車ＩＰの上方（吐出側）には複数のガイドベーンＧＢ１〜ＧＢ７が配置されている。図１の断面図では、ガイドベーンＧＢ２、ＧＢ５が見えている。これらのガイドベーンＧＢ１〜ＧＢ７はポンプボウルＤＣの内周面に固定されている。回転軸ＭＳは外軸受ＯＢおよび水中軸受ＷＢにより回転自在に支持されている。水中軸受ＷＢはポンプボウルＤＣ内に収容されており、羽根車ＩＰの上方に配置されている。水中軸受ＷＢを支持する支持部材ＳＢはポンプボウルＤＣの内面に固定されている。外軸受ＯＢはボールベアリングなどの転がり軸受であり、水中軸受ＷＢは、回転軸ＭＳに滑り接触する、いわゆる滑り軸受である。
【００４３】
続いて図２〜５を用いて、ケーシングＰＰの固定方法について説明する。図２（Ａ）は、ケーシングＰＰを吊り降ろした場合の図１のＡ−Ａ断面図である。図２（Ｂ）は、ケーシングＰＰを回転させて固定した場合の図１のＡ−Ａ断面図である。図２（Ａ）に示すように、一例としてケーシングＰＰのポンプボウルＤＣの外面にケーシング張出部Ｐ１、Ｐ２、Ｐ３、Ｐ４が設けられている。コラムパイプＣＰには、ケーシングＰＰに対向する面にコラム張出部Ｓ１、Ｓ２、Ｓ３、Ｓ４が設けられている。これにより、コラム張出部Ｓ１〜Ｓ４はそれぞれ、対応するケーシング張出部Ｐ１〜Ｐ４と接合可能である。
【００４４】
図２（Ｂ）の矢印Ａ１〜Ａ４に示すように、図２（Ａ）の状態から、ケーシングＰＰを略水平方向に回転させることにより、ケーシング張出部Ｐ１〜Ｐ４それぞれが略水平方向から、対応するコラム張出部Ｓ１〜Ｓ４に固定される。これにより、ケーシング張出部Ｐ１〜Ｐ４それぞれが対応するコラム張出部Ｓ１〜Ｓ４に固定されている。
【００４５】
この構成により、ケーシング張出部Ｐ１〜Ｐ４がコラム張出部Ｓ１〜Ｓ４に固定されることにより、ケーシングＰＰが固定されるので、ポンプＰＭ１の振動を抑制することができる。また、ケーシング張出部Ｐ１〜Ｐ４、コラム張出部Ｓ１〜Ｓ４を新たに設けるだけなので、荷重増及び材料費増を抑制することができる。このように、荷重増及び材料費増を抑制しつつ、ポンプＰＭ１の振動を抑制することができる。
【００４６】
ケーシング張出部Ｐ１〜Ｐ４が固定されるときの回転方向（矢印Ａ１〜Ａ４の方向）は、羽根車ＩＰの回転方向（矢印Ａ５の方向）と略同一である。この構成により、ポンプＰＭ１の運転中の水流が、羽根車ＩＰの回転方向と同じになるので、ケーシングＰＰに羽根車ＩＰの回転方向と同じ方向に力が働く。このため、ケーシング張出部Ｐ１〜Ｐ４をコラム張出部Ｓ１〜Ｓ４に押し付ける方向に力が働き、ケーシング張出部Ｐ１〜Ｐ４のコラム張出部Ｓ１〜Ｓ４への固定力が上昇する。
【００４７】
図３は、図１のＢ−Ｂ矢視図である。図３に示すように、ケーシング張出部Ｐ１〜Ｐ４の先端は、回転軸ＭＳを中心とする半径方向において、第１のコラムライナーＣＲ１の内縁よりも内側に位置する。これにより、ケーシングＰＰを引き抜くときに、ケーシング張出部Ｐ１〜Ｐ４が第１のコラムライナーＣＲ１に引っかからずに抜くことができる。
【００４８】
図４は、図２のＣ−Ｃ断面図である。コラム張出部Ｓ２には、略水平に溝ＧＴ２が形成されている。ケーシングＰＰを略水平方向に回転させることにより、ケーシング張出部Ｐ２は、略水平方向から溝ＧＴ２に嵌ってコラム張出部Ｓ２に固定される。これにより、ケーシング張出部Ｐ２がコラム張出部Ｓ２に形成された溝ＧＴ２に嵌るので、ケーシング張出部Ｐ２のコラム張出部Ｓ２への固定力を向上させることができる。
【００４９】
図５は、図２のＤ−Ｄ断面図である。図５に示すように、コラム張出部Ｓ４の形成された溝は、ケーシング張出部Ｐ４が固定されるときの回転方向（矢印Ａ６の方向）に沿って形成されている。コラム張出部Ｓ４に形成された溝ＧＴは、ケーシング張出部Ｐ４が固定されるときの回転方向（矢印Ａ６の方向）に沿って狭くなっている。これにより、ケーシング張出部Ｐ４がコラム張出部Ｓ４に形成された溝の途中で嵌り込むので、ケーシング張出部Ｐ４のコラム張出部Ｓ４への固定力を向上させることができる。
【００５０】
以上、本実施形態によれば、ポンプＰＭ１は、回転軸ＭＳと、回転軸ＭＳに連結された羽根車ＩＰと、回転軸ＭＳの回りに配置され且つ外面にケーシング張出部Ｐ１〜Ｐ４を有するケーシングＰＰと、ポンプ据付床ＦＬの下に吊下げられているコラムパイプＣＰとを備える。そして、コラムパイプＣＰには、ケーシングＰＰに対向する面にコラム張出部Ｓ１〜Ｓ４が設けられており、ケーシングＰＰを略水平方向に回転させることにより、ケーシング張出部Ｐ１〜Ｐ４が略水平方向からコラム張出部Ｓ１〜Ｓ４に固定される。
【００５１】
この構成により、ケーシング張出部Ｐ１〜Ｐ４がコラム張出部Ｓ１〜Ｓ４に固定されることにより、ケーシングＰＰが固定されるので、ポンプＰＭ１の振動を抑制することができる。また、ケーシング張出部Ｐ１〜Ｐ４、コラム張出部Ｓ１〜Ｓ４を新たに設けるだけなので、荷重増及び材料費増を抑制することができる。このように、荷重増及び材料費増を抑制しつつ、ポンプＰＭ１の振動を抑制することができる。
【００５２】
図６は、第１の変形例に係る図２のＣ−Ｃ断面図である。図６に示すように、ケーシング張出部Ｐ２は、前記回転軸の半径方向に沿って外側にいくほど細くなる形状を有し、コラム張出部Ｓ２の溝ＧＴ２は、回転軸ＭＳの半径方向に深くなるほど細くなる形状を有してもよい。この構成により、ケーシング張出部Ｐ２の先端部分がコラム張出部Ｓ２の溝ＧＴ２にしっかり嵌るので、ケーシングＰＰの揺れ及び共振を抑えることができる。
【００５３】
図７は、第２の変形例に係る図２のＣ−Ｃ断面図である。図７に示すように、ケーシング張出部Ｐ２には、テーパーが設けられ、コラム張出部Ｓ２には、テーパーが設けられている。そして、ケーシング張出部Ｐ２のテーパーとコラム張出部Ｓ２のテーパーとが当接することによりケーシング張出部Ｐ２がコラム張出部Ｓ２に固定されている。この構成により、ケーシング張出部Ｐ２がコラム張出部Ｓ２にしっかり固定されるので、ケーシングＰＰの揺れ及び共振を抑えることができる。
【００５４】
図８は、第１の実施形態の変形例に係るポンプＰＭ１ｂの概略断面図である。図８に示すように、第１の実施形態の変形例に係るポンプＰＭ１ｂは、吸込ベルマウスが固定側であり、吸込ベルマウスＢＬ２がコラムパイプＣＰ２と一体になっている。また、第１の実施形態の変形例に係るポンプＰＭ１ｂは、ガイドベーンＧＢ２、ＧＢ５の外面にガイド張出部Ｇ２、Ｇ４が設けられている点が異なっている。
【００５５】
コラムパイプＣＰ２には、ガイドベーンＧＢ１〜ＧＢ７に対向する面にコラム張出部Ｓ２、Ｓ４が設けられている。そして、ガイドベーンＧＢ１〜ＧＢ７を略水平方向に回転させることにより、ガイド張出部Ｇ２、Ｇ４それぞれが略水平方向から、対応するコラム張出部Ｓ２、Ｓ４に固定される。これにより、ガイド張出部Ｇ２、Ｇ４それぞれが、対応するコラム張出部Ｓ２、Ｓ４に固定されている。
【００５６】
この構成により、ガイド張出部Ｇ２、Ｇ４がコラム張出部に固定されることにより、ケーシングＰＰが固定されるので、ポンプＰＭ１ｂの振動を抑制することができる。また、ガイド張出部Ｇ２、Ｇ４、コラム張出部Ｓ２、Ｓ４を新たに設けるだけなので、荷重増及び材料費増を抑制することができる。このように、荷重増及び材料費増を抑制しつつ、ポンプＰＭ１ｂの振動を抑制することができる。
【００５７】
＜第２の実施形態＞
続いて、第２の実施形態に係るポンプシステムＰＳ２について説明する。第１の実施家形態に係るポンプＰＭ１は、プルアウト型立軸ポンプであったのに対して、第２の実施形態に係るポンプＰＭ２は、着脱式水中ポンプである。
【００５８】
図９は、第２の実施形態に係るポンプシステムＰＳ２の概略断面図である。図９に示すように、ポンプシステムＰＳ２は、ポンプＰＭ２と、ポンプ井（吸込水槽）ＴＫと、ポンプ井ＴＫの上面に設けられたポンプ据付床ＦＬとを備える。ポンプ井ＴＫには水が張られている。更に、ポンプシステムＰＳ２は、ポンプ据付床ＦＬの下に吊下げられるコラムパイプＣＰを備える。
【００５９】
本実施形態に係るポンプＰＭ２は、着脱式水中ポンプである。図９に示すように、ポンプＰＭ２は、回転軸ＭＳと、回転軸ＭＳに連結された羽根車ＩＰと、回転軸ＭＳに連結された電動機ＭＴと、回転軸ＭＳの一部及び電動機ＭＴを収容する筐体ＨＳと、ケーシングＰＰ２とを備える。
【００６０】
ケーシングＰＰ２は、羽根車ＩＰによってポンプ井ＴＫから汲み上げられた水が通る部位であり、ケーシングＰＰ２を通った水は吐出管ＤＰを通って吐き出される。ケーシングＰＰ２は、開口を有する吸込ベルマウスＢＬ２と、羽根車ＩＰを収容するポンプボウルＤＣ２とを有する。
【００６１】
図１０（Ａ）は、ケーシングＰＰ２を吊り降ろした場合の図９のＥ−Ｅ断面図である。図１０（Ｂ）は、ケーシングＰＰを回転させて固定した場合の図９のＥ−Ｅ断面図である。図９及び図１０（Ａ）に示すように、ケーシングＰＰ２の外面にケーシング張出部Ｐ１１〜Ｐ１４が設けられている。コラムパイプＣＰには、ケーシングＰＰ２に対向する面にコラム張出部Ｓ１１〜Ｓ１４が設けられている。これにより、コラム張出部Ｓ１１〜Ｓ１４はそれぞれ、対応するケーシング張出部Ｐ１１〜Ｐ１４と接合可能である。
【００６２】
図１０（Ｂ）の矢印Ａ１１〜Ａ１４に示すように、図１０（Ａ）の状態から、ケーシングＰＰ２を略水平方向に回転させることにより、ケーシング張出部Ｐ１１〜Ｐ１４それぞれが略水平方向から、対応するコラム張出部Ｓ１１〜Ｓ１４に固定される。これにより、ケーシング張出部Ｐ１１〜Ｐ１４それぞれが対応するコラム張出部Ｓ１１〜Ｓ１４に固定されている。
【００６３】
この構成により、ケーシング張出部Ｐ１１〜Ｐ１４がコラム張出部Ｓ１１〜Ｓ１４に固定されることにより、ケーシングＰＰ２が固定されるので、ポンプＰＭ２の振動を抑制することができる。また、ケーシング張出部Ｐ１１〜Ｐ１４、コラム張出部Ｓ１１〜Ｓ１４を新たに設けるだけなので、荷重増及び材料費増を抑制することができる。このように、荷重増及び材料費増を抑制しつつ、ポンプＰＭ２の振動を抑制することができる。
【００６４】
ケーシング張出部Ｐ１１〜Ｐ１４が固定されるときの回転方向（矢印Ａ１１〜Ａ１４の方向）は、羽根車ＩＰの回転方向（矢印Ａ１５の方向）と略同一である。この構成により、ポンプＰＭ２の運転中の水流が、羽根車ＩＰの回転方向と同じになるので、ケーシングＰＰ２に羽根車ＩＰの回転方向と同じ方向に力が働く。このため、ケーシング張出部Ｐ１１〜Ｐ１４をコラム張出部Ｓ１１〜Ｓ１４に押し付ける方向に力が働き、ケーシング張出部Ｐ１１〜Ｐ１４のコラム張出部Ｓ１１〜Ｓ１４への固定力が上昇する。
【００６５】
なお、ケーシング張出部Ｐ１１〜Ｐ１４は、ケーシングＰＰ２の外面の任意の位置に配置可能であり、コラム張出部Ｓ１１〜Ｓ１４は、コラムパイプＣＰの任意の位置且つケーシング張出部Ｐ１１〜Ｐ１４に対応する位置に配置可能である。例えば、ケーシング張出部Ｐ１１〜Ｐ１４は、ケーシングＰＰ２の上方の領域Ｒ１に配置されてもよいし、吸込ベルマウスＢＬ２の領域Ｒ２に配置されてもよい。
【００６６】
以上、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態にわたる構成要素を適宜組み合わせてもよい。
【符号の説明】
【００６７】
ＢＬ、ＢＬ２  吸込ベルマウス
ＣＰ、ＣＰ２  コラムパイプ
ＣＲ１  第１のコラムライナー
ＣＲ２  第２のコラムライナー
ＤＣ、ＤＣ２  ポンプボウル
ＤＰ  吐出管
ＦＬ  ポンプ据付床
ＧＢ１、ＧＢ２  ガイドベーン
ＧＴ、ＧＴ２  溝
ＨＳ  筐体
ＩＰ  羽根車
ＭＳ  回転軸
ＭＴ  電動機
ＯＢ  外軸受
Ｐ１〜Ｐ４、Ｐ１１〜Ｐ１４  ケーシング張出部
ＰＢ  据付用ベース
ＰＭ１、ＰＭ１ｂ、ＰＭ２  ポンプ
ＰＰ、ＰＰ２  ケーシング
ＰＲ１  第１のケーシングライナー
ＰＲ２  第２のケーシングライナー
ＰＳ１、ＰＳ２  ポンプシステム
Ｒ１、Ｒ２  領域
Ｓ１〜Ｓ４、Ｓ１１〜Ｓ１４  コラム張出部
ＳＢ  支持部材
ＴＫ  ポンプ井
ＷＢ  水中軸受
【図１】
2019019774.tif 000003
【図２】
2019019774.tif 000004
【図３】
2019019774.tif 000005
【図４】
2019019774.tif 000006
【図５】
2019019774.tif 000007
【図６】
2019019774.tif 000008
【図７】
2019019774.tif 000009
【図８】
2019019774.tif 000010
【図９】
2019019774.tif 000011
【図１０】
2019019774.tif 000012